(57)【要約】      （修正有）【課題】農業用ハウスの保温と採光を可能にするハウス用保温調整フレームを提供する。【解決手段】硬質プラスチックで形成され、形状が長方形の外枠の中間に仕切りをつけて、この外枠の上段と下段に、断熱性を有する保温シートを貼付した着脱自在の内枠を設け、この内枠を着脱する。【選択図】図１
0003158064.tif 000002
【実用新案登録請求の範囲】
【請求項１】
アルミサッシと硬質プラスチックで形成した、形状が長方形のパネル材に開閉簡単な、二枚のシート貼付用内枠を設けたことを特徴とする保温調整パネル材。
【請求項２】
パネルの形状、正方形に、シート貼付用内枠を一枚とした、請求項１記載の保温調整パネル材。
【考案の詳細な説明】
【技術分野】
【０００１】  この考案は、農業用ハウスの保温調整に関する。
【背景技術】
【０００２】  従来より、種々のハウス用シートが利用されているが、本案が示すように太陽熱の有効利用と保温を調整するためのパネル材は現在のところ見当たらない。
【考案の開示】
【考案が解決しようとうとする課題】
【０００３】  ハウス栽培の基本は太陽熱の有効利用と保温と加熱による、適切な室温を維持することである。従来より断熱性を有するシートが殆んど普及されなかつたのは、断熱性の高いシートは太陽熱を遮断する可能性がある。本案はこれらの相反する課題を解決するために考案されたもので、ハウスの主目的である保温効果を最大に高めることを可能にする、最良の新製品を提供することを目的としたものである。
【課題を解決するための手段】
【０００４】  課題を解決する手段として本案は、以下の構成とした。
すなわち、保温調整パネルをハウスの南側面に設置し、パネルのシート用内枠を開閉して、太陽熱の採光と保温の調整を可能にした。
【考案の効果】
【０００５】  本案は下記の効果を有する。
１，ハウスの保温調整操作が簡単なため、断熱性を有するシートの使用が可能になる。
２，本品は縦・横の取り付けが可能なため、多様化している各種のハウスの形態に対応できる。
３，断熱性を有するシート材に本品を併用することにより、太陽熱の有効利用が可能になり、保温効果も倍増する。
【考案を実施するための最良の形態】
【０００６】  以下本案の実施形態について説明する。
本案は「パネルＩ型」と「パネルＩＩ型」の二形式あり。
図１の、パネルＩ型はシート貼付け枠が二枚の着脱式で、パネルの形態は、縦１８４０ｍｍ、横９４０ｍｍの長方形である。図２の、パネルＩＩ型は、シートＩ枚の着脱式で形態は縦・横各９４０ｍｍの正方形である。
図において、符号１は、パネルの外枠でこの枠によりパネルの全体を形成している。符号２は、シート貼付枠「内枠」で、シートを両面テープなどで貼着する。
内枠の着脱操作は１〜２分で行なうことができる。符号３は、外枠に内枠を重ね合わせて、相互間に間隙を作らないようにした。符号４は、内枠の止金。符号５は、ボルト用の穴、パネルをハウスの支柱にセットする。符号６は、内枠に貼付たシート部分。【０００７】  本案を使用するには、本案品と断熱性を有する保温シートを併用することにより、太陽熱の有効利用と保温効果の倍増を可能にするものである。
農業用ハウスに本案品を使用する場合、保温シートをハウス全面に張りますが、ハウスの南側には本案品とシートを併用して、約１０ｍ間に三ヶ所程度設置することで、適切な採光が得られる。
パネルＩＩ型は、より多くの採光量を必要とする場合、パネルＩ型と併用することで太陽熱をより多く取り入れることができる。なお、このパネルＩＩ型を換気用として使用すると開閉操作が簡単ため、温度調整に最も有効である。
以上本案について記したが、本案のパネル材を用いることで断熱性を有するシートの使用と、温度調整を可能にしたところに特徴を有するものである。
従来のハウス用ビニールシートは一枚張りのため保温性が低く、暖房時の燃料費が高額になっていた。しかるに本案は、記述の構成にて保温効果の持続性アップと保温力の倍増など、燃費の節減により省エネに寄与できる。
以上のごとく、本案によりハウス栽培の効率化や保温効果による作物の成育促進など最良の保温調整パネル材を得ることができる。
【図面の簡単な説明】
【０００８】
【図１】本考案の「パネルＩ型」平面図
【図２】本考案の「パネルＩＩ型」平面図
【図３】本考案のパネルの要部拡大図
【符号の説明】
【０００９】１    パネルの外枠
２    シート貼り付け枠
３    外枠と内枠の重ね部分
４    内枠の止金
５    ボルト用の穴
６    シート部分
【図１】
0003158064.tif 000003
【図２】
0003158064.tif 000004
【図３】
0003158064.tif 000005
【手続補正書】
【提出日】平成21年8月31日(2009.8.31)
【手続補正１】
【補正対象書類名】実用新案登録請求の範囲
【補正対象項目名】請求項１
【補正方法】変更
【補正の内容】
【請求項１】
硬質プラスチックで形成した、形状が長方形の外枠の中間に仕切りを付けて、この外枠の上段と下段に、断熱性を有する保温シートを貼付した着脱自在の内枠をセットし、採光と保温を可能にしたことを特徴とする、保温調整フレームである。
【手続補正２】
【補正対象書類名】実用新案登録請求の範囲
【補正対象項目名】請求項２
【補正方法】変更
【補正の内容】
【請求項２】
請求項１と同一の材料で形成した、形状が正方形の外枠に請求項１と同一の内枠を一枚設けたことを特徴とする、保温調整フレームである。
【手続補正４】
【補正対象書類名】明細書
【補正対象項目名】０００２
【補正方法】変更
【補正の内容】
【０００２】  従来より、種々のハウス用シートが利用されているが、本案が示すように太陽熱の有効利用と保温を調整するための保温調整フレームは現在のところ見当たらない。
【手続補正５】
【補正対象書類名】明細書
【補正対象項目名】０００４
【補正方法】変更
【補正の内容】
【０００４】  課題を解決するための手段として本案は、以下の構成とする。すなわち、保温調整フレーム（以降フレームと略称する）をハウスの南側に約１０ｍに三箇所から五箇所、作物の種類や地域などに応じて設置する。このフレームの内枠を着脱（開閉）して、太陽熱の採光と保温の調整を行う。
【手続補正６】
【補正対象書類名】明細書
【補正対象項目名】０００６
【補正方法】変更
【補正の内容】
【０００６】  以下本案の実施形態について説明する、  本案の図１、の形状が長方形のフレームは、ハウスの側面の高低に合わせて、縦張りや横張りが可能です。図３、の形状が正方形のフレームは、１、ハウスの側面の低い場所  ２、現在使用中のビニールハウスに換気用として使用する。３、本品と長方形のフレームを併用して採光の拡大をはかるなど、多用途に使用できる。  図において、符号１は、フレームの外枠でこの枠により、フレーム全体を形成している。符号２は、シート貼付用内枠でシートを両面テープなどで貼付する、符号３は、外枠に内枠の一部を重ねて相互間に間隙を作らないようにした。符号４は、内枠の止め金。符号５は、ボルト用の穴、フレームをハウスの支柱にセットする。符号６は、内枠にセットしたシート部分。
【手続補正７】
【補正対象書類名】明細書
【補正対象項目名】０００７
【補正方法】変更
【補正の内容】
【０００７】  本案を使用するには、本案品と断熱性を有するシートと併用することにより、太陽熱の有効利用と保温効果の倍増を可能にするものである。  農業用ハウスに本案品を使用する場合、断熱性を有するシートをハウスの全面に張りますが、ハウスの南側には本案品と前記のシートを併用して設置します。以上本案について記しましたが、本案品を用いることで断熱性を有するシートの使用を可能にしたところに特徴を有するものである。  従来のハウス用ビニールシートは一枚張りのため保温性が低く、暖房時の燃料費が高額になっていた。しかるに、本案は既述の構成にて保温効果の持続性アップと保温の倍増など、燃費の節減による省エネに寄与できる。  以上のごとく、本案によりハウス栽培の効率化や保温効果による作物の成育促進など最良の保温調整フレーム材を得ることができる。
【手続補正８】
【補正対象書類名】明細書
【補正対象項目名】０００８
【補正方法】変更
【補正の内容】
【０００８】
【図１】本案のフレーム「長方形」の平面図
【図２】本案のフレーム「正方形」の平面図
【図３】本案のフレームの要部拡大図
【手続補正９】
【補正対象書類名】明細書
【補正対象項目名】０００９
【補正方法】変更
【補正の内容】
【０００９】１    フレームの外枠２    シート貼付枠３    外枠と内枠の重ね部分４    内枠の止め金５    ボルト用の穴６    シート部分
【手続補正書】
【提出日】平成21年12月8日(2009.12.8)
【手続補正１】
【補正対象書類名】実用新案登録請求の範囲
【補正対象項目名】全文
【補正方法】変更
【補正の内容】
【実用新案登録請求の範囲】
【請求項１】
硬質プラスチックで形成した、形状が長方形の外枠の中間に仕切りをつけて、この外枠の上段と下段に、断熱性を有する保温シートを貼付した着脱自在の内枠を設け、この内枠を着脱して、農業用ハウスの保温と採光を可能にしたことを特徴とする、ハウス用保温調整フレーム。
【請求項２】
硬質プラスチックで形成した、形状が正方形の外枠に、断熱性を有する保温シートを貼付した着脱自在の内枠を一箇所設け、この内枠を着脱して、ハウスの保温と採光を可能にしたことを特徴とする、ハウス用保温調整フレーム。